(57)【要約】【課題】組み立て及び分解が極めて容易であり、バルーンが破裂するおそれのない簡易な構造からなる造形用フレームを提供する。【解決手段】本考案は、造形用フレームに関するものであり、バルーン２０が装着される任意形状のフレーム１０を分割した複数のフレーム部材１２、１４と、両端部に前記各フレーム部材１２、１４の端部が挿入され、前記各フレーム部材１２、１４同士を接続する接続スリーブ１６、１８とを備えることを特徴とする。【選択図】図１
0003152087.tif 000002
【実用新案登録請求の範囲】
【請求項１】
バルーンが装着される任意形状のフレームを分割した複数のフレーム部材と、
両端部に前記各フレーム部材の端部が挿入され、前記各フレーム部材同士を接続する接続スリーブと、
を備えることを特徴とする造形用フレーム。
【請求項２】
請求項１記載の造形用フレームにおいて、
前記接続スリーブの外周部には、両端部に向かって徐々に縮径する面取り部が形成されることを特徴とする造形用フレーム。
【考案の詳細な説明】
【技術分野】
【０００１】
本考案は、結婚式や各種パーティー等で使用されるバルーン装飾品を造形するための造形用フレームに関する。
【背景技術】
【０００２】
結婚式や各種パーティーでは、様々な色や形、あるいは、人気キャラクタの絵等が描かれた多数のバルーンを特定の形に造形したバルーン装飾品が使用されている。
【０００３】
バルーン装飾品は、バルーンを装着するための特定の形からなる造形用フレームを用いることで、その形を保持させている。この場合、結婚式等では、華やかさを演出する目的から、大型のバルーン装飾品が好んで使用される。従って、造形用フレームを複数のフレーム部材に分解した状態で会場に持ち込み、会場で造形用フレームを組み立てた後、バルーンを装着する作業が行われる。
【０００４】
図４Ａは、従来の組み立て式の造形用フレーム１００を示す。造形用フレーム１００は、２つのフレーム部材１０２、１０４からなり、これらのフレーム部材１０２、１０４を組み合わせることにより、ハート形の造形用フレーム１００となる。フレーム部材１０２、１０４は、フレーム部材１０２の端部１０２ａ、１０２ｂと、フレーム部材１０４の端部１０４ａ、１０４ｂとを重ね合わせ、その部分を結束バンド１０６、１０８で結束した後、結束バンド１０６、１０８の余分な部分を切除することで、図４Ｂに示す造形用フレーム１００となる。次いで、組み立てられた造形用フレーム１００にバルーン１１０を装着することにより、所望の形のバルーン装飾品が完成する。
【０００５】
ところで、前記の造形用フレーム１００は、結束バンド１０６、１０８を用いてフレーム部材１０２、１０４を連結した後、結束バンド１０６、１０８の余分な部分を切除しなければならないため、その分、余計な作業が必要となる。また、余分な部分を切除した結束バンド１０６、１０８には、突起部が残存するため、造形用フレーム１００に装着するバルーン１１０が破裂しないよう、結束バンド１０６、１０８の外周部にテープを巻き付ける必要がある。さらに、バルーン装飾品を使用した後、造形用フレーム１００を分解する場合には、結束バンド１０６、１０８の面倒な取り外し作業が必要である。なお、取り外された結束バンド１０６、１０８は、再利用することができないため、不経済でもある。
【０００６】
一方、バルーン装飾品のための造形用フレーム１００とは異なる技術分野であるが、組み立て式のフレームに関する種々の技術が開発されている。
【０００７】
例えば、特許文献１に開示された先行技術は、ステージ構造体に関するものであり、ステージ天板を支持する大引材の端部に形成した取付孔にジョイントピンの一端部を挿入し、ジョイントピンの他端部を支持枠に挿入することにより、ステージを支持するステージ構造体を容易に組み立てられるようにしたものである。
【０００８】
また、特許文献２に開示された先行技術は、テントフレームに関するものであり、複数のフレーム部材を継ぎ手を介して接続することにより、テント幕布を支持するテントフレームを組み立てるようにしたものである。
【先行技術文献】
【特許文献】
【０００９】
【特許文献１】特開平１０−００８７４９号公報
【特許文献２】登録実用新案第３０２３１０５号公報
【考案の概要】
【考案が解決しようとする課題】
【００１０】
しかしながら、いずれの先行技術の場合も、組み立てたフレームにバルーンを装着してバルーン装飾品とすることを目的としたものではない。従って、バルーンが破裂する事態を考慮する必要性はなく、また、装飾品としての外観を考慮する必要性も極めて乏しい。
【００１１】
本考案は、従来の造形用フレームにおける不具合を解消するためになされたものであって、組み立て及び分解が極めて容易であり、バルーンが破裂するおそれのない簡易な構造からなる造形用フレームを提供することを目的とする。
【課題を解決するための手段】
【００１２】
本考案に係る造形用フレームは、バルーンが装着される任意形状のフレームを分割した複数のフレーム部材と、両端部に前記各フレーム部材の端部が挿入され、前記各フレーム部材同士を接続する接続スリーブとを備えることを特徴とする。
【００１３】
前記造形用フレームにおいて、前記接続スリーブの外周部には、両端部に向かって徐々に縮径する面取り部が形成されることを特徴とする。
【考案の効果】
【００１４】
本考案の造形用フレームは、接続スリーブによりフレーム部材同士を極めて容易に接続して組み立てることができる。また、接続部分に突起部がなく、接続スリーブによって接続された造形用フレームに対して、バルーンを破裂させることなく容易に装着させることができるとともに、バルーンを容易に所望の装飾形態とすることができる。さらに、接続スリーブからフレーム部材を抜き取るだけで、極めて容易に分解することができる。
【図面の簡単な説明】
【００１５】
【図１】図１Ａは実施形態の造形用フレームの分解図、図１Ｂは実施形態の造形用フレームの組み立て図である。
【図２】図２Ａは他の実施形態の造形用フレームの分解図、図２Ｂはさらに他の実施形態の造形用フレームの分解図である。
【図３】図３Ａは他の実施形態の造形用フレームの分解図、図３Ｂはさらに他の実施形態の造形用フレームの分解図である。
【図４】図４Ａは従来の造形用フレームの分解図、図４Ｂは従来の造形用フレームの組み立て図である。
【考案を実施するための形態】
【００１６】
以下、本考案の実施形態について図面を参照して説明する。
【００１７】
図１Ａは実施形態の造形用フレーム１０の分解図である。造形用フレーム１０は、分割された２つのフレーム部材１２、１４と、フレーム部材１２の端部１２ａ及びフレーム部材１４の端部１４ａを接続する接続スリーブ１６と、フレーム部材１２の端部１２ｂ及びフレーム部材１４の端部１４ｂを接続する接続スリーブ１８とから構成される。造形用フレーム１０は、図１Ｂに示すように、接続スリーブ１６、１８を介してフレーム部材１２、１４を接続することにより、ハート形の造形用フレーム１０となる。組み立てられた造形用フレーム１０には、造形用フレーム１０を覆い隠すように、複数のバルーン２０が装着される。
【００１８】
フレーム部材１２、１４は、同一の形状であり、例えば、アルミニウムやステンレス等の線材を造形用フレーム１０のハート形状に対応させて折曲形成される。なお、フレーム部材１２、１４は、同一の形状であるため、１つの成形用治具を用いてフレーム部材１２、１４を所望に形状に成形することができる。
【００１９】
接続スリーブ１６、１８は、フレーム部材１２、１４の接続部分における造形用フレーム１０の形状に対応した折曲形状からなり、フレーム部材１２、１４の端部１２ａ、１２ｂ、１４ａ、１４ｂが挿入される中空部１６ａ、１８ａを有する。また、接続スリーブ１６、１８の外周部には、両端部に向かって徐々に縮径する面取り部１６ｂ、１６ｃ、１８ｂ、１８ｃが形成される。
【００２０】
次に、造形用フレーム１０の組み立て手順及びバルーン装飾品の制作手順について説明する。
【００２１】
図１Ａにおいて、中空部１６ａを有した接続スリーブ１６の両端部に、フレーム部材１２の端部１２ａ及びフレーム部材１４の端部１４ａをそれぞれ挿入する。同様にして、接続スリーブ１８の両端部に、フレーム部材１２の端部１２ｂ及びフレーム部材１４の端部１４ｂをそれぞれ挿入する。この結果、図１Ｂに示すハート形の造形用フレーム１０が直ちに組み立てられる。なお、接続スリーブ１６、１８からフレーム部材１２、１４が抜け落ちることを防止するため、必要に応じて、接続スリーブ１６、１８とフレーム部材１２、１４との接続部分にテープを巻き付けるようにしてもよい。
【００２２】
次いで、組み立てられた造形用フレーム１０に対して、複数のバルーン２０を所望の配置で装着し、バルーン装飾品が完成する。バルーン２０は、複数のバルーン２０を連結したものをフレーム部材１２、１４に巻き付けるようにして装着してもよく、また、接着剤を用いてフレーム部材１２、１４に装着してもよい。さらに、造形用フレーム１０にバルーン２０を直接装着するのではなく、布等を介して装着するようにしてもよい。さらにまた、バルーン２０に加えて、リボン等の装飾品を造形用フレーム１０に装着してもよい。
【００２３】
この場合、フレーム部材１２、１４を接続する接続スリーブ１６、１８には、図４Ｂの結束バンド１０６、１０８のような突起部がなく、また、両端部に向かって徐々に縮径する面取り部１６ｂ、１６ｃ、１８ｂ、１８ｃが外周部に形成されているため、突起部にバルーン２０が接触して破裂する事態が生じることはない。また、突起部がないため、フレーム部材１２、１４に装着したバルーン２０の位置を容易に調整することができる。従って、造形用フレーム１０に対するバルーン２０の装着作業を効率的に行うことができるとともに、所望のデザインからなるバルーン装飾品を容易に制作することができる。
【００２４】
一方、使用後のバルーン装飾品は、造形用フレーム１０からバルーン２０を取り外した後、接続スリーブ１６、１８からフレーム部材１２、１４を抜き取るだけで、容易に分解することができる。分解したフレーム部材１２、１４及び接続スリーブ１６、１８は、造形用フレーム１０として何度でも組み立てて使用することができる。
【００２５】
図２Ａは、他の実施形態の造形用フレーム２２の分解図である。この造形用フレーム２２は、図１Ｂに示す造形用フレーム１０と同じハート形であるが、造形用フレーム２２を構成するフレーム部材２４、２６を非対称形状に分割し、フレーム部材２４の端部２４ａ、２４ｂと、フレーム部材２６の端部２６ａ、２６ｂとが、それぞれ直線的に接続されるように構成している。フレーム部材２４、２６をこのような形状とすることにより、フレーム部材２４の端部２４ａとフレーム部材２６の端部２６ａとを接続する接続スリーブ２８、及び、フレーム部材２４の端部２４ｂとフレーム部材２６の端部２６ｂとを接続する接続スリーブ３０を略直線形状とすることができる。なお、接続スリーブ２８、３０は、接続スリーブ１６、１８と同様に、フレーム部材２４、２６の端部２４ａ、２４ｂ、２６ａ、２６ｂが挿入される中空部２８ａ、３０ａと、面取り部２８ｂ、２８ｃ、３０ｂ、３０ｃとを有する。
【００２６】
造形用フレーム２２は、フレーム部材２４、２６の端部２４ａ、２４ｂ、２６ａ、２６ｂを接続スリーブ２８、３０の両端部にそれぞれ挿入して組み立てられる。組み立てられた造形用フレーム２２には、造形用フレーム１０の場合と同様に、複数のバルーン２０が装着されることで、バルーン装飾品が完成する。
【００２７】
この場合、接続スリーブ２８、３０は、略直線状に形成されているため、充分な強度を備えている。従って、組み立てられた造形用フレーム２２も充分な強度を有することになる。
【００２８】
なお、図１Ａの形状からなるフレーム部材１２及び接続スリーブ１６と、図２Ａの形状からなるフレーム部材２６及び接続スリーブ３０とを組み合わせて造形用フレームとしてもよい。
【００２９】
図２Ｂは、他の実施形態である星形の造形用フレーム３２の分解図である。造形用フレーム３２は、同一の形状からなるフレーム部材３４、３６の各端部３４ａ、３４ｂ、３６ａ、３６ｂを、接続スリーブ３８、４０の両端部にそれぞれ挿入することで組み立てられる。なお、接続スリーブ３８、４０は、接続スリーブ１６（図１Ａ）と同様に、フレーム部材３４、３６の接続部分の形状に対応した折曲形状からなるとともに、フレーム部材３４、３６の各端部３４ａ、３４ｂ、３６ａ、３６ｂが挿入される中空部と、両端部の外周部に形成される面取り部とを有する。組み立てられた造形用フレーム３２には、造形用フレーム１０の場合と同様に、複数のバルーン２０が装着されることで、バルーン装飾品が完成する。
【００３０】
図３Ａは、他の実施形態であるツリー形の造形用フレーム４２の分解図である。造形用フレーム４２は、同一の形状からなるフレーム部材４４、４６の各端部４４ａ、４４ｂ、４６ａ、４６ｂを、接続スリーブ４８、５０の両端部にそれぞれ挿入することで組み立てられる。なお、接続スリーブ４８は、接続スリーブ１６、１８（図１Ａ）と同様に、フレーム部材４４、４６の端部４４ａ、４６ａの接続部分の形状に対応した折曲形状からなる。また、接続スリーブ５０は、接続スリーブ２８、３０（図２Ａ）と同様に、フレーム部材４４、４６の端部４４ｂ、４６ｂの接続部分の形状に対応した直線形状からなる。組み立てられた造形用フレーム４２には、造形用フレーム１０の場合と同様に、複数のバルーン２０が装着されることで、バルーン装飾品が完成する。
【００３１】
図３Ｂは、他の実施形態である円形の造形用フレーム５２の分解図である。造形用フレーム５２は、同一の半円弧形状からなるフレーム部材５４、５６の各端部５４ａ、５４ｂ、５６ａ、５６ｂを、接続スリーブ５８、６０の両端部にそれぞれ挿入することで組み立てられる。なお、接続スリーブ５８、６０は、フレーム部材５４、５６の端部５４ａ、５４ｂ、５６ａ、５６ｂの接続部分の形状に対応した円弧形状からなる。組み立てられた造形用フレーム５２には、造形用フレーム１０の場合と同様に、複数のバルーン２０が装着されることで、バルーン装飾品が完成する。
【００３２】
なお、本考案は、上述した実施の形態に限定されるものではなく、本考案の主旨を逸脱しない範囲で変更することが可能である。例えば、フレーム部材及び接続スリーブの形状は、組み立てられた造形用フレームが所望の形状になるのであれば、どのような形状であってもよい。また、フレーム部材は、造形用フレームを２分割する場合に限られるものではなく、造形用フレームの大きさに応じて３分割、４分割等、任意の分割数としてもよい。
【符号の説明】
【００３３】
１０、２２、３２、４２、５２…造形用フレーム
１２、１４、２４、２６、３４、３６、４４、４６、５４、５６…フレーム部材
１６、１８、２８、３０、３８、４０、４８、５０、５８、６０…接続スリーブ
２０…バルーン
１６ｂ、１６ｃ、１８ｂ、１８ｃ、２８ｂ、２８ｃ、３０ｂ、３０ｃ…面取り部
【図１】
0003152087.tif 000003
【図２】
0003152087.tif 000004
【図３】
0003152087.tif 000005
【図４】
0003152087.tif 000006